(57)【特許請求の範囲】
【請求項１】
設備本体と、該設備本体の全体を上方から覆って収納する収納容器とから成って、設備全体をハンドホール内に吊り下げて設置する際に、ハンドホールに対する設備全体の位置決めを行う装置であって、
前記設備本体の下端部の中心部に設けられた環状の被ガイド体と、前記ハンドホールの底壁部の中心部に設けられ、前記被ガイド体を自身の外側に嵌め込んで、ハンドホールに対する設備全体の位置決めを行うための円筒状のガイド体とで構成され、
前記ガイド体は、ハンドホールの底壁部の中心に設けられた排水孔の直上に配置されて、その周壁部には、１ないし複数の清掃開口が設けられていることを特徴とする地下埋設設備の位置決めガイド装置。
【請求項２】
円筒状のガイド体の上端開口は、逆碗状をした天板部で覆われていることを特徴とする請求項１に記載の地下埋設設備の位置決めガイド装置。
【請求項３】
収納容器の上端部は、引掛金具を介してハンドホールの上壁部の裏面に引っ掛けられていることを特徴とする請求項１又は２に記載の地下埋設設備の位置決めガイド装置。
【発明の詳細な説明】
【０００１】
【発明の属する技術分野】
本発明は、設備本体と、この全体を上方から覆って収納する釣鐘状の収納容器とが、それらの下端部で一体に連結された状態でハンドホール内に収容される地下埋設設備において、設備全体を吊り下げてハンドホール内に設置する際に、ハンドホールに対する設備の位置決めを行うための装置に関するものである。
【０００２】
【従来の技術】
最初に、地下埋設設備の一つであるマンホールポンプ制御盤を挙げて、本発明の対象としている地下埋設設備を、該設備の有している独自の構造を主体にして説明する。図１６に示されるように、マンホールポンプ制御盤Ａ’は、下水道を流れる下水をマンホールＭ内においてポンプアップするためのポンプＰを制御するためのものであって、当初は、地上に設置されていたり、或いは地上に立てられたコンクリート製の支柱に取付けられていた。しかし、地上に設置した場合には、この制御盤自体が比較的大きい（幅×奥行き×高さが７００ｍｍ×５００ｍｍ×１６００ｍｍ程度である）ので、歩行障害、交通障害を伴うと同時に、都市景観を損ない、しかも私有地に立てることが大部分であるために、その用地確保が困難な場合が多い等の諸問題があった。
【０００３】
そこで、上記した各問題の殆どを解消可能にすべく、制御盤自体を地下に埋設する発想が出現して、本出願人は、これを実現した。この地下埋設型のマンホールポンプ制御盤Ａ’は、図１１に示されるように、制御盤本体Ｂと、その全体を上方から覆う釣鐘状の収納容器Ｃ’とで構成されて、両者は、それらの下端部において、複数本の連結ボルト４４を介して一体連結されている。また、このマンホールポンプ制御盤Ａ’は、図１３に示されるように、その全体が、地中埋設されたハンドホールＨ内に収容され、ハンドホールＨ内に浸水した場合においても、制御盤Ａ’に作用する浮力よりも大きな力でもって、該制御盤Ａ’がハンドホールＨに連結固定されていれば、釣鐘状の収納容器Ｃ’内の空気が圧縮され、該空気の圧縮量に対応した高さだけ収納容器Ｃ’内に水が浸入するのみで、制御盤本体Ｂの各種制御機器が取付けられている部分まで水が浸入するのが防止される。この構造によって、ハンドホールＨを使用して、マンホールポンプ制御盤Ａ’を地中に埋設しても、その防水が図られることになる。
【０００４】
また、図１１は、制御盤本体Ｂと収納容器Ｃ’とを分離させた状態の断面図であり、図１２は、制御盤本体Ｂと収納容器Ｃ’とを一体に連結した状態の底面図である。図１１及び図１２において、制御盤本体Ｂは、環状をした被ガイド体Ｇ2 の外周面に複数本（実施例では４本）のアーム２２が放射状に固着されて、各アーム２２の先端部の裏面側に接地体２３が固着された接地部本体２４と、該接地部本体２４の直上に前記アーム２２と同数の短支柱２５を介して水平に配置された円盤状の支持台２６と、該支持台２６の上面に、その半径方向に沿って一体に取付けられた盤状の制御機器取付盤２７とで構成される。制御機器取付盤２７の両側面には、制御盤を構成する各種の制御機器２８が取付けられている。制御機器取付盤２７の上端部には、平面視において全ての制御機器２８が覆い隠されて、断面山形をした天板２９が一体に取付けられている。なお、天板２９は、図１１において、紙面に垂直な方向の断面が山形となっている。また、接地部本体２４を構成する各アーム２２の先端部の上面には、制御盤本体Ｂと収納容器Ｃ’とを、それらの下端部において一体に連結するための連結ブラケット３１が固着されている。なお、図１１において、３２は、制御盤本体Ｂの全体を釣鐘状の収納容器Ｃ’で覆う場合に、該収納容器Ｃ’のわん曲した天板部４８を弾接させるために、制御盤本体Ｂの天板２９の中央部に取付けられた弾性体を示し、３３は、前記連結ブラケット３１の背面に固着されて、前記連結ボルト４４と螺合されるナットを示す。
【０００５】
また、収納容器Ｃ’は、前記制御盤本体Ｂの全体を、その上方から覆って内部に収納するためのものであって、その全体形状は、その内径が、前記制御盤本体Ｂの円盤状をした前記支持台２６の外径よりも僅かに大きな釣鐘状をしている。この収納容器Ｃ’の下端部には、その周方向に沿った複数箇所（実施例では４箇所）に支持脚４１が一体に設けられ、相隣接する支持脚４１の間には、制御盤本体Ｂの各制御機器２８に接続されるケーブル４２を挿入可能なケーブル挿入空間４３（いずれも図１３参照）が形成されている。各支持脚４１の上端に近い部分には、制御盤本体Ｂに対して収納容器Ｃ’を一体に連結する連結ボルト４４を挿通するためのボルト挿通孔４５が設けられている。各支持脚４１の外側には、補強板５０が取付けられている。また、図１３及び図１４に示されるように、収納容器Ｃ’の周壁部４６の外周面の周方向に沿って相対向する２箇所の部分であって、しかも当該各部分の上下端部には、後述の浮上防止柱Ｄを、その両側から挟むような形状となる一対一組のガイド板４７が上下方向に沿ってそれぞれ固着されている。
【０００６】
また、図１３及び図１４にそれぞれ示されるように、収納容器Ｃ’の周壁部４６と天板部４８の接続部分であって、しかも周方向に沿って前記ガイド板４７と同一位相の位置には、浮上防止用のブラケット４９が固着されている。なお、図１３及び図１４において、５１は、制御盤Ａ’の全体を吊り上げるための一対の吊上ブラケットを示し、図１１において、５２は、収納容器Ｃ’の周壁部４６の内周面に設けられて、制御盤本体Ｂと収納容器Ｃ’とを組み付けて、一体に連結する際に前記支持台２６の上面に弾接する環状パッキンを示す。
【０００７】
また、図１３及び図１４に示されるように、ハンドホールＨの底壁部５３には、該ハンドホールＨの中心に対して対称位置に２本の浮上防止柱Ｄが立設されている。この浮上防止柱Ｄは、断面コの字形のアングル材で構成されて、その上端部には、ナットブロック５４が落下不能に保持されている。また、ハンドホールＨの側壁部５５の内側面の相対向する部分には、ケーブル４２を接続するためのコネクタボックス５７ａ，５７ｂがそれぞれ取付けられている。
【０００８】
そして、ハンドホールＨ内にマンホールポンプ制御盤Ａ’を吊り降ろすことにより設置して、その浮上防止を図るには、以下のようにして行われる。即ち、制御盤Ａ’を地上に設置した状態で、その底部から延出しているケーブル４２を前記コネクタボックス５７ａ，５７ｂ内のコネクタ（図示せず）に接続しておいて、ハンドホールＨの上壁部５８に設けられた円形開口５９から該制御盤Ａ’を、その内部に吊り降ろして設置する。そして、図１４に示されるように、収納容器Ｃ’の外周面の各ガイド板４７と、ハンドホールＨの底壁部５３に立設された各浮上防止柱Ｄとを係合させて、ハンドホールＨ内に対する制御盤Ａ’の周方向の位置を定めて、周方向及び半径方向の双方に大きく振れないようにして、ハンドホールＨ内に制御盤Ａ’を吊り下ろして設置する。その後に、図１４及び図１５に示されるように、収納容器Ｃ’の上端部に固着された浮上防止用のブラケット４９と浮上防止柱Ｄとを、前記ナットブロック５４及び連結ボルト５６を介して連結することにより、制御盤Ａ’の全体の浮上を防止している。なお、図１３において、６１は、ハンドホールＨの上壁部５８の上面に設置されて、必要な場合には、その下面と、前記上壁部５８の上面との間にモルタルを埋め込んで、その上面を道路面と同一面にするための環状調整体を示し、６２は、マンホール蓋を示す。
【０００９】
また、マンホールＭ、及びこれに付帯する諸設備の一般構造に関しては、図１６に示されるように、マンホールＭ、及びマンホールポンプ制御盤Ａ’は、車道Ｒ1 に埋設され、歩道Ｒ2 に立設された鋼管柱８１の所定高さ位置に、マンホール制御に関する各種の取引計器を収納するための計器収納箱８２が取付けられている。なお、図１６において、８３は、マンホールポンプ制御盤Ａ’に給電するケーブルを収納保護するための第１ケーブル保護管を示し、８４は、マンホールＭ内のポンプＰに給電するケーブル、或いはマンホールＭ内の水位計（図示せず）等とマンホールポンプ制御盤Ａ’とを連結する電線等を収納保護するための第２ケーブル保護管を示し、８５は、ハンドホールＨ内に溜まった水をマンホールＭ内に排水するためのドレン管を示す。
【００１０】
上記したように、ハンドホールＨの底壁部５３に立設した複数本の浮上防止柱Ｄを用いて、浸水時における制御盤Ａ’の浮上を防止する構造であると、以下のような諸問題がある。（１）ハンドホールＨの底壁部５３に立接する複数本の浮上防止柱Ｄの使用が不可欠であり、しかもハンドホールＨに対して浮上防止柱Ｄを固着する作業が大変であって、全体としてコスト高となる。（２）制御盤Ａ’の周方向に沿った設置位置が定められて、その自由度が全くないので、制御盤Ａ’を吊り降ろして設置する際における周方向の位置ずれが許されない。（３）ハンドホールＨの底壁部５３に集められるケーブル４２の余長部は、１箇所に束ねられるため、各ケーブル４２が絡み合って、修理等のために制御盤Ａ’をハンドホールＨの外部に吊り出す際に、支障を来すことがある。（４）コネクタボックス５７ａ，５７ｂ等の修理を行う場合には、浮上防止柱Ｄが障害となるため、その都度、取り外して、再取付けを行う必要がある。
【００１１】
そこで、本出願人は、ハンドホールの底壁部に立設していた浮上防止柱を無くして、収納容器の上端部の外周縁に固着された金具連結用ブラケットと、該ブラケットに着脱可能に取付けられる引掛金具とを使用して、ハンドホール内にマンホールポンプ制御盤を設置した状態で、前記金具連結用ブラケットに連結された引掛金具をハンドホールの上壁部の裏面に引っ掛けて、制御盤全体の浮上を防止する装置を案出した。この引掛金具を用いた浮上防止装置によれば、ハンドホールの底壁部に浮上防止柱を立設する必要がなくなって、上記した各問題点（１）〜（４）の殆どが解消される。しかし、ハンドホール内に制御盤を吊り降ろして設置する際に、位置決めとなる部材が存しないために、ハンドホールに対する制御盤の位置決めが難しくなるという、新たな問題が生ずる。
【００１２】
【発明が解決しようとする課題】
本発明は、地中埋設されたハンドホール内に引掛金具を使用して浮上防止状態で収容設置される地下埋設設備において、ハンドホールに対して設備全体を吊り降ろして設置する際に、その位置決めを容易にすることを課題としている。
【００１３】
【課題を解決するための手段】
この課題を解決するための請求項１の発明は、設備本体と、該設備本体の全体を上方から覆って収納する収納容器とから成って、設備全体をハンドホール内に吊り下げて設置する際に、ハンドホールに対する設備全体の位置決めを行う装置であって、前記設備本体の下端部の中心部に設けられた環状の被ガイド体と、前記ハンドホールの底壁部の中心部に設けられ、前記被ガイド体を自身の外側に嵌め込んで、ハンドホールに対する設備全体の位置決めを行うための円筒状のガイド体とで構成され、前記ガイド体は、ハンドホールの底壁部の中心に設けられた排水孔の直上に配置されて、その周壁部には、１ないし複数の清掃開口が設けられていることを特徴としている。
【００１４】
請求項１の発明によれば、ハンドホール内に設備全体を吊り降ろす際に、ハンドホールの底壁部の中心部に設けられた円筒状のガイド体の外側に、設備本体の下端部の環状の被ガイド体を嵌め込むのみで、ハンドホールに対する設備全体の位置決めが行われる。
【００１５】
また、ハンドホールの底壁部の中心に排水孔が設けられていて、該排水孔の直上に円筒状のガイド体が設けられているので、ガイド体の周壁部に１ないし複数の清掃開口を設けておくと、ガイド体によって排水孔が閉塞されなくなって、排水孔の清掃等を行える。
【００１６】
また、上記位置決め装置は、ハンドホールの底壁部の中心部に設けられた円筒状のガイド体の外側に、設備本体の下端部の環状の被ガイド体を嵌め込む構成であって、設備全体は、前記ガイド体を中心にして回動可能である。よって、この構成に加えて、請求項３の発明のように、収納容器の上端部を、引掛金具を介してハンドホールの上壁部の裏面に引っ掛ける構成にすると、設備全体の周方向に沿った固定位置を自由に選択できる利点が生ずる。
【００１７】
【発明の実施の形態】
以下、実施例を挙げて本発明を更に詳細に説明する。なお、「従来の技術」の項目で説明した部分と同一部分には、同一符号を付し、重複説明を避けて、本発明の特徴を構成する部分を主体にして、詳細に説明する。図１は、本発明に係る浮上防止装置を使用してハンドホールＨ内にマンホールポンプ制御盤Ａが設置された状態の正面断面図であり、図２は、同じく概略平面図であり、図３は、ガイド体Ｇ1 の平面図であり、図４は、図１のガイド体Ｇ1 の部分の拡大図であり、図５は、同じく斜視図である。ハンドホールＨの底壁部５３の上面は、その外周部から中心部に向けて漸次低くなるような緩傾斜面になっていて、その中心部に方形状をした排水凹部１が設けられて、該排水凹部１の中心部に前記排水孔６３が設けられている。
【００１８】
また、ハンドホールＨの底壁部５３における前記排水孔６３の直上部には、制御盤本体Ｂの下端部に設けられた環状をした前記被ガイド体Ｇ2 を自身の外側に嵌め込んで、ハンドホールＨ内にマンホールポンプ制御盤Ａを吊り降ろして設置する際に、ハンドホールＨに対する制御盤Ａの位置決めを行うためのガイド体Ｇ1 が設けられている。このガイド体Ｇ1 は、図３ないし図５に示されるように、全体として円筒状をなしていて、逆わん状をした天板部２の外周部にＬ字状をした複数の脚体部３が設けられて、隣接する脚体部３の間の開口が清掃開口４となった構成であって、その外側に、制御盤本体Ｂの下端部を構成する環状の前記被ガイド体Ｇ2 が僅かの隙間を有して嵌め込まれる。各脚体部３の水平部分は、ハンドホールＨの底壁部５３の上面（ハンドホールＨを全体として見ると、その底面）に設置される設置部３ａとなっていて、複数の設置部３ａがコンクリートボルト２０を介して前記底壁部５３に固定されることにより、ガイド体Ｇ1 は、ハンドホールＨの底壁部５３に固定される。
【００１９】
また、図６は、図２の引掛金具Ｅの部分の拡大図であり、図７は、図６のＸ−Ｘ線断面図であり、図８は、引掛金具Ｅを主体に示す斜視図である。マンホールポンプ制御盤Ａを構成する収納容器Ｃの上端部の外周縁であって、しかも周方向に沿って３等分された各位置には、それぞれ平板状の金具連結用ブラケット５が溶接により垂直に固着されている。収納容器Ｃに対する前記ブラケット５の固着強度を高めるために、該ブラケット５の背面側の中央部は、Ｌ字形の補強金具６を介して収納容器Ｃの上面のわん曲部に固着されている。各ブラケット５の上端部には、ボルト挿通孔７が設けられている。なお、収納容器Ｃの外周面には、従来の収納容器Ｃ’のように、ガイド板４７は、設けられていない。
【００２０】
また、引掛金具Ｅは、図７及び図８に示されるように、金属板がＬ字状に折り曲げられ、更にその上端部が逆Ｕ字状に折り曲げられて、垂直板部８の下端部に引掛板部９が連設され、該垂直板部８の上端部に、前記金具連結用ブラケット５に連結される部分である連結部１０が連設されて、該連結部１０を構成する各金属板部に、それぞれボルト挿通孔１１ａ，１１ｂが設けられた構成である。垂直板部８及び引掛板部９の幅方向の中央部には、増強用のリブ１２が連続して設けられて、その先端部には、ゴム等から成る弾性板１３が固着されている。また、引掛金具Ｅの前記連結部１０を構成する天板部の裏面側には、ゴム等から成る弾性棒１４が固着されている。
【００２１】
そして、上記構成の位置決めガイド装置を利用して、マンホールポンプ制御盤ＡをハンドホールＨ内に浮上防止構造で設置するには、以下のようにして行われる。まず、図９に示されるように、制御盤Ａの底部から延出した各ケーブル４２をハンドホールＨ内の各コネクタボックス５７ａ，５７ｂ内のコネクタ（図示せず）に接続しておいて、ハンドホールＨの円形開口５９から、その内部に制御盤Ａを吊り下ろす。その際に、制御盤本体Ｂの下端部に設けられた環状の被ガイド体Ｇ2 を、ハンドホールＨの底壁部５３に固定されたガイド体Ｇ1 の外側に嵌め込む。このようにして、ハンドホールＨ内に制御盤Ａを設置すると、ハンドホールＨに対する制御盤Ｂの周方向を除いた残りの方向の位置決めが行われる。
【００２２】
次に、、引掛金具Ｅを使用して、ハンドホールＨ内に設置された制御盤Ａの浮上防止を図る。即ち、収納容器Ｃの外周縁と、ハンドホールＨの円形開口５９の内周面との間の環状隙間１５（図２参照）のうち、金具連結用ブラケット５が設けられていない部分から引掛金具Ｅの引掛板部９を内部に挿入した後に、該引掛金具Ｅを円形開口５９の周方向に移動させて、その連結部１０を金具連結用ブラケット５の上端部に覆い被せる。次に、引掛金具Ｅの連結部１０に設けられたボルト挿通孔１１ａと、金具連結用ブラケット５のボルト挿通孔７とに、段付ボルト１６の大径部１６ａを挿通すると共に、引掛金具Ｅの連結部１０に設けられた他方のボルト挿通孔１１ｂに、段付ボルト１６の雄螺子部１６ｂを挿通して、該雄螺子部１６ｂとナット１７とを螺合させると、引掛金具Ｅは、図７で２点鎖線で示される傾斜姿勢から実線で示される起立姿勢に変化させられて、前記段付ボルト１６を介して、その起立姿勢を維持した状態で金具連結用ブラケット５に連結される。
【００２３】
上記のようにして、各引掛金具Ｅと各金具連結用ブラケット５とが段付ボルト１６を介してそれぞれ連結されることにより、各引掛金具Ｅの引掛板部９は、ハンドホールＨの上壁部５８の裏面５８ａに、圧縮変形された弾性板１３を介して引っ掛けられる。また、引掛金具Ｅの連結部１０の天板部の裏面に固着された弾性棒１４も圧縮変形され、前記弾性板１３と弾性棒１４との各圧縮変形により、ハンドホールＨに対する制御盤Ａの設置誤差、収納容器Ｃに対する金具連結用ブラケット５の取付誤差等が吸収される利点がある。
【００２４】
これにより、ハンドホールＨ内に制御盤Ａを吊り降ろして、設置する際には、ハンドホールＨの底壁部５３に設けられたガイド体Ｇ1 と、制御盤本体Ｂの下端部に設けられた被ガイド体Ｇ2 との嵌合によって、ハンドホールＨに対して制御盤Ａが自動的に位置決めされる。また、制御盤Ａを構成する収納容器Ｃの上端部を、金具連結用ブラケット５及び引掛金具Ｅを介してハンドホールＨの上壁部５８の裏面５８ａに引っ掛けることにより、制御盤Ａの浮上防止が図られる。
【００２５】
また、ハンドホールＨ内から制御盤Ａを撤去して、該ハンドホールＨ内の修理等を行うことがある。この場合において、排水凹部１及び排水孔６３の部分の清掃を行う場合には、ガイド体Ｇ1 の周壁部に設けられた複数の清掃開口４から清掃具（図示せず）を突っ込むことにより、ガイド体Ｇ1 を取り外すことなく、上記部分の清掃を行える。
【００２６】
また、図１０には、別のガイド体Ｇ'1が示されている。このガイド体Ｇ'1は、前記ガイド体Ｇ1 よりも本数の少ない３本の脚体部３を備えているのみであって、制御盤ＡをハンドホールＨの中心部に設置するガイド機能は、そのまま保持して、清掃開口４が大きくなる利点がある。
【００２７】
なお、上記実施例では、地下埋設設備の一例として、マンホールポンプ制御盤Ａを挙げ、これについて説明したが、設備本体と、この全体を上方から覆って収納する収納容器とから成って、地下埋設される設備であれば、いかなる設備に対しても本発明の実施は可能である。
【００２８】
【発明の効果】
本発明に係る位置決めガイド装置は、設備本体の下端部の中心部に設けられた環状の被ガイド体と、ハンドホールの底壁部の中心部に設けられ、前記被ガイド体を自身の外側に嵌め込んで、ハンドホールに対する設備全体の位置決めを行うための円筒状のガイド体とで構成されるので、地中埋設されたハンドホール内に引掛金具を使用して浮上防止状態で収容設置される地下埋設設備において、ハンドホールに対して設備全体を吊り降ろして設置する際に、前記ガイド体と前記被ガイド体とを嵌合させるのみで、ハンドホールに対する設備の位置決めを確実に行うことができる。
【００２９】
また、ハンドホールの底壁部の中心に排水孔が設けられていて、該排水孔の直上に円筒状のガイド体が設けられているため、ガイド体の周壁部に１ないし複数の清掃開口を設けておくと、ガイド体によって排水孔が閉塞されなくなって、ハンドホールの底壁部にガイド体を設けたままで、排水孔の清掃等を行える利点がある。
【００３０】
更に、設備全体がガイド体（或いは被ガイド体）を中心にして回動可能であるため、収納容器の上端部を、引掛金具を介してハンドホールの上壁部の裏面に引っ掛ける構成にすると、設備全体の周方向に沿った固定位置を自由に選択できるという特有の作用効果が生ずる。
【図面の簡単な説明】
【図１】  ハンドホールＨ内にマンホールポンプ制御盤Ａが設置された状態の正面断面図である。
【図２】  同じく概略平面図である。
【図３】  ガイド体Ｇ1 の平面図である。
【図４】  図１のガイド体Ｇ1 の部分の拡大図である。
【図５】  同じく斜視図である。
【図６】  図２の引掛金具Ｅの部分の拡大図である。
【図７】  図６のＸ−Ｘ線断面図である。
【図８】  引掛金具Ｅを主体に示す斜視図である。
【図９】  マンホールポンプ制御盤ＡをハンドホールＨ内に吊り降ろしている状態を示す正面断面図である。
【図１０】  ガイド体Ｇ'1の斜視図である。
【図１１】  従来のマンホールポンプ制御盤Ａ’を構成する制御盤本体Ｂと収納容器Ｃ’とを分離した状態の正面断面図である。
【図１２】  マンホールポンプ制御盤Ａ’の底面図である。
【図１３】  複数本の浮上防止柱Ｄを使用してハンドホールＨ内にマンホールポンプ制御盤Ａ’が設置された状態の正面断面図である。
【図１４】  同じく平面図である。
【図１５】  図１４のＹ−Ｙ線拡大断面図である。
【図１６】  マンホールＭとマンホールポンプ制御盤Ａ'(Ａ）の設置概念図である。
【符号の説明】
Ａ：マンホールポンプ制御盤（地下埋設設備）
Ｂ：制御盤本体（設備本体）
Ｅ：引掛金具
Ｇ1,Ｇ'1：ガイド体
Ｇ2 ：被ガイド体
Ｈ：ハンドホール
１：排水凹部
４：清掃開口
５３：ハンドホールの底壁部
６３：排水孔
【図１】
0003915274.tif 000002
【図２】
0003915274.tif 000003
【図３】
0003915274.tif 000004
【図４】
0003915274.tif 000005
【図５】
0003915274.tif 000006
【図６】
0003915274.tif 000007
【図７】
0003915274.tif 000008
【図８】
0003915274.tif 000009
【図９】
0003915274.tif 000010
【図１０】
0003915274.tif 000011
【図１１】
0003915274.tif 000012
【図１２】
0003915274.tif 000013
【図１３】
0003915274.tif 000014
【図１４】
0003915274.tif 000015
【図１５】
0003915274.tif 000016
【図１６】
0003915274.tif 000017